【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
３つ以上のアンテナを介してデータを受信することと、
前記データを処理するために採用されるべき独立処理ユニットの数を判断することと、ここにおいて、前記判断された数の独立処理ユニットが、少なくとも２つの処理ユニットを備え、少なくとも１つの処理ユニットが、データの少なくとも２つのストリームを一緒に処理する、
前記判断された数の独立処理ユニットによって前記データを処理することと、
前記処理ユニットの結果を合成することとを備える、ユーザ機器（ＵＥ）によるワイヤレス通信の方法。
【請求項２】
前記少なくとも２つの処理ユニットの各々が、前記アンテナのサブセットを介して受信された前記データを処理することが可能であり、少なくとも１つの処理ユニットが、前記アンテナのうちの少なくとも２つによって受信された前記データを処理することが可能である、請求項１に記載の方法。
【請求項３】
前記処理ユニットの各々が、所定の数の前記アンテナによって受信されたデータを処理することが可能である、請求項１に記載の方法。
【請求項４】
前記処理ユニットの各々が、同数の前記アンテナによって受信されたデータを処理することが可能である、請求項１に記載の方法。
【請求項５】
前記処理ユニットの各々が多入力多出力（ＭＩＭＯ）復調器を備える、請求項１に記載の方法。
【請求項６】
前記ＭＩＭＯ復調器が最大平均２乗誤差（ＭＭＳＥ）復調方式を利用する、請求項５に記載の方法。
【請求項７】
前記データを受信することに関係する少なくとも１つのパラメータを評価することと、
前記評価に基づいて、前記判断された数の処理ユニットを採用することによって、前記３つ以上のアンテナを介して受信された前記データを独立して処理すべきかどうかを決定することとをさらに備える、請求項１に記載の方法。
【請求項８】
前記少なくとも１つのパラメータは、ドップラー拡散、遅延拡散、周波数タップの数、予想利得、電力制約、帯域幅、干渉ランク、送信モード、ＵＥ状態、信号対雑音比（ＳＮＲ）、トラフィックタイプまたは多重化方式のうちの少なくとも１つを備える、請求項７に記載の方法。
【請求項９】
前記処理ユニットの各々の前記結果は、変調シンボルの軟推定値を備える、請求項１に記載の方法。
【請求項１０】
前記結果を合成することは、
前記処理ユニットの各々によって個々のビットについての対数尤度比（ＬＬＲ）を取得することと、
前記処理ユニットの各々から取得された前記個々のビットについての前記ＬＬＲを合成することとを備える、請求項１に記載の方法。
【請求項１１】
前記合成することは、前記処理ユニットの各々によって取得された前記軟推定値の品質推定値に基づく、請求項９に記載の方法。
【請求項１２】
前記品質推定値は信号対雑音比（ＳＮＲ）を備える、請求項１１に記載の方法。
【請求項１３】
前記処理ユニットの各々からの前記軟推定値が最大比合成（ＭＲＣ）方式によって合成される、請求項１１に記載の方法。
【請求項１４】
前記３つ以上のアンテナの各々における受信されたチャネルの推定値を評価することと、
前記評価に基づいて、前記３つ以上のアンテナの各々を前記処理ユニットのうちの１つにマッピングすることとをさらに備える、請求項１に記載の方法。
【請求項１５】
前記マッピングすることは、アンテナ相関構造に少なくとも部分的に基づいて判断される、請求項１４に記載の方法。
【請求項１６】
前記マッピングすることは、前記アンテナにわたるアンテナ利得不平衡に少なくとも部分的に基づいて判断される、請求項１４に記載の方法。
【請求項１７】
前記データを受信することに関係する少なくとも１つのパラメータを評価することと、
前記評価に基づいて、前記マッピングすることを実行すべきかどうかを決定することとをさらに備える、請求項１４に記載の方法。
【請求項１８】
前記少なくとも１つのパラメータが、ドップラー拡散、遅延拡散、周波数タップの数、予想利得、電力制約、帯域幅、干渉ランク、送信モード、ＵＥ状態、信号対雑音比（ＳＮＲ）、トラフィックタイプまたは多重化方式のうちの少なくとも１つを備える、請求項１７に記載の方法。
【請求項１９】
採用されるべき独立処理ユニットの前記数の前記判断が、異なる物理チャネルについて別々に行われる、請求項１に記載の方法。
【請求項２０】
データチャネルと制御チャネルとのために異なる数の前記独立処理ユニットが採用される、請求項１８に記載の方法。
【請求項２１】
前記処理ユニットのうちの少なくとも１つを前記３つ以上のアンテナのうちの少なくとも２つの線形結合にマッピングすることをさらに備える、請求項１に記載の方法。
【請求項２２】
前記データを受信することに関係する少なくとも１つのパラメータを評価することと、
前記評価に基づいて、前記マッピングを実行すべきかどうかを決定することとをさらに備える、請求項２１に記載の方法。
【請求項２３】
前記少なくとも１つのパラメータは、ドップラー拡散、遅延拡散、周波数タップの数、予想利得、電力制約、帯域幅、干渉ランク、送信モード、ＵＥ状態、信号対雑音比（ＳＮＲ）、トラフィックタイプまたは多重化方式のうちの少なくとも１つを備える、請求項２２に記載の方法。
【請求項２４】
前記少なくとも２つの処理ユニットの各々は、同じ搬送波上で受信されたデータを処理する、請求項１に記載の方法。
【請求項２５】
前記データを受信することに関係する少なくとも１つのパラメータを評価することと、
前記評価に基づいて、処理ユニットの数、前記処理ユニットの１つまたは複数への前記アンテナの固定マッピングを使用すべきなのか、チャネル状態によって変化するマッピングを使用すべきなのか、前記マッピングが前記アンテナの１つに制限されるのか、前記アンテナの２つ以上の線形結合に制限されるのか、または前記２つ以上の線形結合されたアンテナからのサンプルを合成する前に前記アンテナ間に遅延を導入すべきかどうかを判断することとをさらに備える、請求項１に記載の方法。
【請求項２６】
前記少なくとも１つのパラメータが、ドップラー拡散、遅延拡散、周波数タップの数、予想利得、電力制約、帯域幅、干渉ランク、送信モード、ＵＥ状態、信号対雑音比（ＳＮＲ）、トラフィックタイプまたは多重化方式のうちの少なくとも１つを備える、請求項２５に記載の方法。
【請求項２７】
３つ以上のアンテナを介してデータを受信するための手段と、
前記データを処理するために採用されるべき独立処理ユニットの数を判断するための手段と、ここにおいて、前記判断された数の独立処理ユニットが少なくとも２つの処理ユニットを備え、少なくとも１つの処理ユニットがデータの少なくとも２つのストリームを一緒に処理する、
前記判断された数の独立処理ユニットによって前記データを処理するための手段と、
前記処理ユニットの結果を合成するための手段とを備える、ワイヤレス通信のための装置。
【請求項２８】
前記少なくとも２つの処理ユニットの各々が、前記アンテナのサブセットを介して受信された前記データを処理することが可能であり、少なくとも１つの処理ユニットが、前記アンテナのうちの少なくとも２つによって受信された前記データを処理することが可能である、請求項２７に記載の装置。
【請求項２９】
命令を記憶するメモリと、
前記メモリに結合された少なくとも１つのプロセッサとを備え、前記少なくとも１つのプロセッサは、
３つ以上のアンテナを介してデータを受信することと、
前記データを処理するために採用されるべき独立処理ユニットの数を判断することと、ここにおいて、前記判断された数の独立処理ユニットが少なくとも２つの処理ユニットを備え、少なくとも１つの処理ユニットがデータの少なくとも２つのストリームを一緒に処理するように構成される、
前記判断された数の独立処理ユニットによって前記データを処理することと、
前記処理ユニットの結果を合成することとを行うための前記命令を実行するように構成される、ワイヤレス通信のための装置。
【請求項３０】
プロセッサによって実行されたとき、
３つ以上のアンテナを介してデータを受信することと、
前記データを処理するために採用されるべき独立処理ユニットの数を判断することと、ここにおいて、前記判断された数の独立処理ユニットが少なくとも２つの処理ユニットを備え、少なくとも１つの処理ユニットがデータの少なくとも２つのストリームを一緒に処理する、
前記判断された数の独立処理ユニットによって前記データを処理することと、
前記処理ユニットの結果を合成することとを実行するコードを記憶する、非一時的なコンピュータ可読媒体。
【手続補正２】
【補正対象書類名】明細書
【補正対象項目名】００９６
【補正方法】変更
【補正の内容】
【００９６】
[0106]以上の説明は、当業者が本明細書で説明した様々な観点を実施することができるようにするために提供したものである。これらの観点に対する様々な変更は当業者には容易に明らかであり、本明細書で定義した一般的原理は他の観点に適用され得る。したがって、特許請求の範囲は、本明細書に示された観点に限定されるものではなく、特許請求の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか」という語は１つまたは複数を指す。当業者に知られている、または後に知られることになる、本開示全体にわたって説明した様々な観点の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、出願当初の特許請求の範囲に記載された発明を付記する。
［Ｃ１］
３つまたは複数のアンテナを介してデータを受信することと、
前記データを処理するために採用されるべき独立処理ユニットの数を判断することと、ここにおいて、前記判断された数の独立処理ユニットが、少なくとも２つの処理ユニットを備え、少なくとも１つの処理ユニットが、データの少なくとも２つのストリームを一緒に処理する、
前記判断された数の独立処理ユニットによって前記データを処理することと、
前記処理ユニットの結果を合成することとを備える、ユーザ機器（ＵＥ）によるワイヤレス通信の方法。
［Ｃ２］
前記少なくとも２つの処理ユニットの各々が、前記アンテナのサブセットを介して受信された前記データを処理することが可能であり、少なくとも１つの処理ユニットが、前記アンテナのうちの少なくとも２つによって受信された前記データを処理することが可能である、Ｃ１に記載の方法。
［Ｃ３］
各処理ユニットが、所定の数の前記アンテナによって受信されたデータを処理することが可能である、Ｃ１に記載の方法。
［Ｃ４］
前記処理ユニットの各々が、同数の前記アンテナによって受信されたデータを処理することが可能である、Ｃ１に記載の方法。
［Ｃ５］
前記処理ユニットの各々が多入力多出力（ＭＩＭＯ）復調器を備える、Ｃ１に記載の方法。
［Ｃ６］
前記ＭＩＭＯ復調器が最大平均２乗誤差（ＭＭＳＥ）復調方式を利用する、Ｃ５に記載の方法。
［Ｃ７］
前記データを受信することに関係する少なくとも１つのパラメータを評価することと、
前記評価に基づいて、前記判断された数の処理ユニットを採用することによって、前記３つまたは複数のアンテナを介して受信された前記データを独立して処理すべきかどうかを決定することとをさらに備える、Ｃ１に記載の方法。
［Ｃ８］
前記少なくとも１つのパラメータは、ドップラー拡散、遅延拡散、周波数タップの数、予想利得、電力制約、帯域幅、干渉ランク、送信モード、ＵＥ状態、信号対雑音比（ＳＮＲ）、トラフィックタイプまたは多重化方式のうちの少なくとも１つを備える、Ｃ７に記載の方法。
［Ｃ９］
前記処理ユニットの各々の前記結果は、変調シンボルの軟推定値を備える、Ｃ１に記載の方法。
［Ｃ１０］
前記結果を合成することは、
各処理ユニットによって個々のビットについての対数尤度比（ＬＬＲ）を取得することと、
前記処理ユニットの各々から取得された個々のビットについての前記ＬＬＲを合成することとを備える、Ｃ１に記載の方法。
［Ｃ１１］
前記合成することは、前記処理ユニットの各々によって取得された前記軟推定値の品質推定値に基づく、Ｃ９に記載の方法。
［Ｃ１２］
前記品質推定値は信号対雑音比（ＳＮＲ）を備える、Ｃ１１に記載の方法。
［Ｃ１３］
前記処理ユニットの各々からの軟推定値が最大比合成（ＭＲＣ）方式によって合成される、Ｃ１１に記載の方法。
［Ｃ１４］
前記３つまたは複数のアンテナの各々における受信されたチャネルの推定値を評価することと、
前記評価に基づいて、前記３つまたは複数のアンテナの各々を前記処理ユニットのうちの１つにマッピングすることとをさらに備える、Ｃ１に記載の方法。
［Ｃ１５］
前記マッピングすることは、アンテナ相関構造に少なくとも部分的に基づいて判断される、Ｃ１４に記載の方法。
［Ｃ１６］
前記マッピングすることは、アンテナにわたるアンテナ利得不平衡に少なくとも部分的に基づいて判断される、Ｃ１４に記載の方法。
［Ｃ１７］
前記データを受信することに関係する少なくとも１つのパラメータを評価することと、
前記評価に基づいて、前記マッピングすることを実行すべきかどうかを決定することとをさらに備える、Ｃ１４に記載の方法。
［Ｃ１８］
前記少なくとも１つのパラメータが、ドップラー拡散、遅延拡散、周波数タップの数、予想利得、電力制約、帯域幅、干渉ランク、送信モード、ＵＥ状態、信号対雑音比（ＳＮＲ）、トラフィックタイプまたは多重化方式を備える、Ｃ１７に記載の方法。
［Ｃ１９］
採用すべき独立処理ユニットの前記数に関する前記判断が、異なる物理チャネルについて別々に行われる、Ｃ１に記載の方法。
［Ｃ２０］
データチャネルと制御チャネルとのために異なる数の独立処理ユニットが採用される、Ｃ１８に記載の方法。
［Ｃ２１］
前記処理ユニットのうちの少なくとも１つを前記３つまたは複数のアンテナのうちの少なくとも２つの線形結合にマッピングすることをさらに備える、Ｃ１に記載の方法。
［Ｃ２２］
前記データを受信することに関係する少なくとも１つのパラメータを評価することと、
前記評価に基づいて、前記マッピングを実行すべきかどうかを決定することとをさらに備える、Ｃ２１に記載の方法。
［Ｃ２３］
前記少なくとも１つのパラメータは、ドップラー拡散、遅延拡散、周波数タップの数、予想利得、電力制約、帯域幅、干渉ランク、送信モード、ＵＥ状態、信号対雑音比（ＳＮＲ）、トラフィックタイプまたは多重化方式を備える、Ｃ２２に記載の方法。
［Ｃ２４］
前記少なくとも１つの処理ユニットの各々は、同じ搬送波上で受信されたデータを処理する、Ｃ１に記載の方法。
［Ｃ２５］
前記データを受信することに関係する少なくとも１つのパラメータを評価することと、
前記評価に基づいて、処理ユニットの数、前記１つまたは複数の処理ユニットへのアンテナの固定マッピングを使用すべきなのか、チャネル状態によって変化するマッピングを使用すべきなのか、前記マッピングが１つのアンテナに制限されるのか、２つまたは複数のアンテナの線形結合に制限されるのか、または前記２つまたは複数の線形結合されたアンテナからのサンプルを合成する前に前記アンテナ間に遅延を導入すべきかどうかを判断することとをさらに備える、Ｃ１に記載の方法。
［Ｃ２６］
前記少なくとも１つのパラメータが、ドップラー拡散、遅延拡散、周波数タップの数、予想利得、電力制約、帯域幅、干渉ランク、送信モード、ＵＥ状態、信号対雑音比（ＳＮＲ）、トラフィックタイプまたは多重化方式を備える、Ｃ２５に記載の方法。
［Ｃ２７］
３つまたは複数のアンテナを介してデータを受信するための手段と、
前記データを処理するために採用されるべき独立処理ユニットの数を判断するための手段と、ここにおいて、前記判断された数の独立処理ユニットが少なくとも２つの処理ユニットを備え、少なくとも１つの処理ユニットがデータの少なくとも２つのストリームを一緒に処理する、
前記判断された数の独立処理ユニットによって前記データを処理するための手段と、
前記処理ユニットの結果を合成するための手段とを備える、ワイヤレス通信のための装置。
［Ｃ２８］
前記少なくとも２つの処理ユニットの各々が、前記アンテナのサブセットを介して受信された前記データを処理することが可能であり、少なくとも１つの処理ユニットが、前記アンテナのうちの少なくとも２つによって受信された前記データを処理することが可能である、Ｃ２７に記載の装置。
［Ｃ２９］
３つまたは複数のアンテナを介してデータを受信することと、
前記データを処理するために採用されるべき独立処理ユニットの数を判断することと、ここにおいて、前記判断された数の独立処理ユニットが少なくとも２つの処理ユニットを備え、少なくとも１つの処理ユニットがデータの少なくとも２つのストリームを一緒に処理する、
前記判断された数の独立処理ユニットによって前記データを処理することと、
前記処理ユニットの結果を合成することとを行うように構成された少なくとも１つのプロセッサと、
前記少なくとも１つのプロセッサに結合されたメモリとを備える、ワイヤレス通信のための装置。
［Ｃ３０］
３つまたは複数のアンテナを介してデータを受信することと、
前記データを処理するために採用されるべき独立処理ユニットの数を判断することと、ここにおいて、前記判断された数の独立処理ユニットが少なくとも２つの処理ユニットを備え、少なくとも１つの処理ユニットがデータの少なくとも２つのストリームを一緒に処理する、
前記判断された数の独立処理ユニットによって前記データを処理することと、
前記処理ユニットの結果を合成することとを行うためのコードを備えるコンピュータ可読媒体を備える、ワイヤレス通信のためのコンピュータプログラム製品。